(57)【要約】【課題】肌面の凸曲面部等にも化粧料を簡便且つ均一に塗布することができる化粧料塗布具を提供すること。【解決手段】本発明の化粧料塗布具１は、塗布ローラー２と、該塗布ローラー２を回転自在に支持する支持部３とを有し、塗布ローラー２は、柔軟性材料からなる外周部２１とコイルバネ２３からなる芯部２２とを備えている。塗布する化粧料は、例えばファンデーション、マスカラ、頬紅等である。コイルバネ２３は、好ましくは軸方向に圧縮された状態で支持部３に装着されている。【選択図】図１
2015012934.tif 000002
【特許請求の範囲】
【請求項１】
塗布ローラーと、該塗布ローラーを回転自在に支持する支持部とを有し、
前記塗布ローラーは、柔軟性材料からなる外周部とコイルバネからなる芯部とを備えている化粧料塗布具。
【請求項２】
前記コイルバネが、軸方向に圧縮された状態で前記支持部に装着されている請求項１記載の化粧料塗布具。
【請求項３】
前記コイルバネの外径が、前記塗布ローラーの外周部直径の１５〜９５％である、請求項１又は２記載の化粧料塗布具。
【請求項４】
前記外周部が、スポンジからなる請求項１〜３の何れか１項記載の化粧料塗布具。
【請求項５】
前記コイルバネは、金属製である請求項１〜４の何れか１項記載の化粧料塗布具。
【発明の詳細な説明】
【技術分野】
【０００１】
本発明は、化粧料塗布具に関する。
【背景技術】
【０００２】
従来、ファンデーション等の化粧料を肌に塗布する塗布具として、ローラーと、該ローラーを回転自在に支持する支持部とを有する塗布ローラーが知られている（特許文献１，２参照）。
【先行技術文献】
【特許文献】
【０００３】
【特許文献１】特開２０１１−４４４号公報
【特許文献２】実願昭５８−１４１１４５号公報
【発明の概要】
【発明が解決しようとする課題】
【０００４】
しかし、従来の塗布ローラーは、化粧料を塗布する対象の肌面に凹凸や曲率の大きい凸曲面部等があると、化粧料を均一に塗布することが難しくなるというという問題があった。
【０００５】
したがって本発明の課題は、前述した従来技術が有する欠点を解消し得る化粧料塗布具を提供することにある。
【課題を解決するための手段】
【０００６】
本発明は、塗布ローラーと、該塗布ローラーを回転自在に支持する支持部とを有し、前記塗布ローラーは、柔軟性材料からなる外周部とコイルバネからなる芯部とを備えている化粧料塗布具を提供するものである。
【発明の効果】
【０００７】
本発明の化粧料塗布具によれば、肌面の凸曲面部等にも化粧料を簡便且つ均一に塗布することができる。
【図面の簡単な説明】
【０００８】
【図１】図１は、本発明の化粧料塗布具の一実施形態を示す斜視図である。
【図２】図２は、図１に示す化粧料塗布具の分解斜視図である。
【図３】図３は、図１に示す化粧料塗布具を塗布ローラー及びその付近の断面にして示す図であり、図３（ａ）は、非使用状態、図３（ｂ）は、使用状態を示す図である。
【発明を実施するための形態】
【０００９】
以下本発明を、その好ましい実施形態に基づき図面を参照しながら説明する。
本発明の一実施形態である化粧料塗布具１は、図１及び図２に示すように、塗布ローラー２と、塗布ローラー２を回転自在に支持する支持部３とを有しており、例えば、ファンデーション、マスカラ、頬紅等の化粧料を顔等の人の肌に塗布するのに好ましく用いられる。
【００１０】
塗布ローラー２は、柔軟性材料からなる外周部２１とコイルバネ２３からなる芯部２２とを備えている。
外周部２１を構成する柔軟性材料としては、スポンジ、パフ、ゴム、エラストマー、ゲル、不織布、コットン等が挙げられるが、スポンジであることが、肌面の微小な凹凸への追従変形性に優れる点から好ましい。スポンジとしては、ポリウレタン、ゴム、エラストマー、シリコン等の軟質樹脂の発泡体、ロール状の海綿、糸瓜、不織布、コットン等を用いることができる。発泡体は、独立気泡のものでも連続気泡を有するものでも良い。
本明細書で柔軟性材料とは、図３（ｂ）に示すように、本願発明の化粧料塗布具の使用時に、肌面の凹凸状態や曲率に追従する程度に柔軟性を有する材料のことを意味する。例えばＪＩＳＫ６２５３で規定するデュロメータ硬さが、好ましくは０〜９０、より好ましくは０〜５０、更に好ましくは３〜３０、更により好ましくは５〜３０程度の柔軟性を有する材料である。なお、かかる範囲のデュロメータ硬さはタイプＡ（瞬間値）での硬さである。
コイルバネ２３は、金属製でもゴム製でも合成樹脂製でも良いが、金属製であることが塑性変形し難いことや耐久性に優れる点で好ましい。金属としては、鉄、ステンレス、鋼、りん青銅、ベリリウム銅、形状記憶（超弾性）合金等が挙げられる。
コイルバネ２３は、芯部２２の湾曲状態からの弾性回復力を利用して凸曲面部等に対する追従変形性を向上させる観点から、塗布ローラー２を肌の凸曲面部に強く押し当てる程度の力で、図３（ｂ）に示すように湾曲し得ることが好ましい。
【００１１】
そのような観点から、コイルバネ２３は、下記方法で測定した「ばね定数」が、好ましくは０．１Ｎ／ｍｍ以上、より好ましくは０．８Ｎ／ｍｍ以上であり、また、好ましくは５Ｎ／ｍｍ以下、より好ましくは１．５Ｎ／ｍｍ以下であり、また、好ましくは０．１〜５Ｎ／ｍｍ、より好ましくは０．８〜１．５Ｎ／ｍｍである。
【００１２】
＜ばね定数の測定方法＞
コイルバネの長さ方向が圧縮測定器の支持台の平面と垂直になるように、コイルバネの一方の端部を上記支持台上に支持し、圧縮測定器の圧縮可動部をコイルバネのもう一方の端部に自然長を維持できる程度に接触させる。そして、上記圧縮可動部をコイルバネの長さ方向と平行に稼動させ、コイルバネを弾性変形の範囲内で圧縮させる。そして、コイルバネの変形量と復元力から得られる関係性をコイルバネのばね定数として測定する。
【００１３】
本実施形態の化粧料塗布具１における外周部２１は、スポンジ等の柔軟性材料からなる円筒状部材２１ａからなり、前述したコイルバネ２３が、円筒状部材２１ａに設けた貫通孔２１ｂ内に挿入されている。コイルバネ２３は、接着剤等の公知の固定手段により貫通孔２１ｂ内に固定されている。また、円筒状部材２１ａの両端部には、大径部２４ａと小径部２４ｂとを有する円盤状のローラー端部形成部材２４が接着剤を介して固定されている。ローラー端部形成部材２４は、大径部２４ａが、円筒状部材２１ａの軸方向両端面に当接しており、小径部２４ｂが、円筒状部材２１ａの貫通孔２１ｂ内に挿入されてコイルバネ２３の端部と嵌合している。
ローラー端部形成部材２４には、支持部３に設けられた軸受３３が挿入される挿入部２４ｃが設けられている。塗布ローラー２は、その軸方向の両端に存在する挿入部２４ｃ、２４ｃのそれぞれに支持部３の軸受３３が挿入されて支持部３に回転自在に支持されている。
【００１４】
支持部３は、手で持つ部位である把持部３１と、把持部３１の端部から延出し、塗布ローラー２をその軸方向の両側から挟むように支持する一対の支持アーム３２，３２を有している。把持部３１は、細幅部３１ａとそれに連続する幅拡大部３１ｂとを有している。軸受３３は、一対の支持アーム３２の相対向面に突設された円柱状の突起からなる。軸受３３に対応する挿入部２４ｃは、ローラー端部形成部材２４を貫通する貫通孔であっても良いし、ローラー端部形成部材２４を貫通しない止め穴であっても良い。
本実施形態の化粧料塗布具１は、把持部３１を指先で摘んで片手で塗布作業を行うのに適した形状及びサイズを有しており、例えば、支持部３の全長Ｌ１は、５０〜１５０ｍｍ程度である。
【００１５】
化粧料塗布具１を用いて化粧料を塗布するには、先ず、塗布する化粧料の種類に応じた容器や収容部に収容された化粧料を、塗布ローラー２の表面に付着させる。例えば、化粧料として、ファンデーション、マスカラ、頬紅等の化粧料を塗布する場合には、化粧料塗布具１の把持部３１を指で摘んで持ち、塗布ローラー２を、コンパクトと呼ばれるケース内の化粧料収容部に収容された化粧料上に乗せて転がす。これにより、塗布ローラー２の表面に化粧料が付着する。
塗布ローラーに化粧料を付着させる方法は、他の多様な方法を採用することができ、例えば、液状の化粧料を、塗布ローラーの表面に滴下する方法、液状やムース状の化粧料を手の平に取った後、塗布ローラーを、その上に乗せて転がす方法、液状の化粧料を塗布ローラーの表面に向けてスプレーする方法、塗布ローラーの全体又一部を化粧料に浸漬する方法等を採用することができる。
【００１６】
そして、化粧料が付着した塗布ローラー２を、図３（ｂ）に示すように、肌Ｓに接触させて転がす。これにより、塗布ローラー２に付着した化粧料が肌Ｓに移行し、化粧料が肌に塗布される。
【００１７】
なお、化粧料塗布具で塗布する化粧料は、肌に塗布して使用される化粧料であれば特に制限されるものではなく、例えば、ファンデーションや、マスカラ、頬紅、リップグロス、口紅、マニキュア、化粧水、保湿液などが挙げられる。
【００１８】
本実施形態の化粧料塗布具１によれば、塗布対象の肌面に、図３（ｂ）に示すように、曲率の大きな凸曲面部があったときに、塗布ローラー２をその凸曲面部に押し付けることによって、コイルバネ２３からなる芯部２２を該凸曲面部に沿って湾曲した形状に容易に変形させることができる。これにより、塗布ローラー２の表面が広い面積で凸曲面部に接触させることができるため、凸曲面部に対する化粧料の塗布を効率的且つ簡便に行うことができる。
これに対して、芯部を金属や合成樹脂製の棒状体で形成した場合には、凸曲面部に沿う形状に柔軟に湾曲させるためには、芯部を構成する棒状体を細くして柔軟にする必要があり、芯部や塗布ローラーの変形状態からの弾性回復力が小さくなる。しかも、芯部を構成する棒状体を大きく変形させた場合、塗布ローラー２の両端の支持方法によっては、塗布ローラー２が支持部３から外れる等の不都合が生じやすくなる。
他方、芯部を形成する棒状体を太くすると、凸曲面部に沿う形状に柔軟に湾曲しにくくなる。
【００１９】
このように、本実施形態の化粧料塗布具１における塗布ローラー２は、芯部２２をコイルバネ２３から構成することによって、肌面の凸曲面部に沿う形状に柔軟に変形する変形性やその変形状態からの弾性回復性に優れている。
これにより、本実施形態の化粧料塗布具１によれば、肌面の凸曲面部等にも化粧料を簡便且つ均一に塗布することができる。なお、塗布ローラー２が変形状態からの弾性回復性に優れることは、凸曲面部だけでなく凹曲面部にも化粧料を簡便且つ均一に塗布できる点で有利である。
【００２０】
また、本実施形態の化粧料塗布具１におけるコイルバネ２３は、塗布ローラー２の軸方向に圧縮された状態で支持部３に装着されて、芯部２２を形成している。即ち、コイルバネ２３は、化粧料塗布具１に組み込まれている状態の軸方向の長さＬ３が、コイルバネ２３を単独状態としたときの軸方向の長さＬ２よりも短くなっている。なお、塗布ローラー２やコイルバネ２３の軸方向は、塗布ローラー２の回転軸が延びる方向と同方向である。
これにより、塗布ローラー２が変形しても、塗布ローラー２の両端と支持部３との係合状態が安定に維持され、塗布ローラー２が外れる等の不都合が生じにくい。
前記長さＬ３は、前記長さＬ２に対する割合が、好ましくは１００％未満であり、より好ましくは９９％以下であり、また、好ましくは７０％以上であり、より好ましくは９０％以上である。本実施形態では９５％程度である。
【００２１】
また、化粧料塗布具１の塗布ローラー２は、外周部２１が柔軟性材料からなるため、塗布ローラー２の表面が、肌面の微小な凹凸への追従変形性にも優れている。そのため、化粧料の均一な塗布が一層容易となる。
外周部２１の表面が変形することによる微小な凹凸への追従変形性の観点から、柔軟性材料からなる外周部の肉厚Ｔ（図２参照）は、好ましくは１ｍｍ以上、より好ましくは３ｍｍ以上である。また、前記肉厚Ｔは、好ましくは２０ｍｍ以下、より好ましくは１０ｍｍ以下である。
【００２２】
また、外周部２１の表面が変形することによる微小な凹凸への追従変形性及び芯部が湾曲することによる大きな凸曲面に沿う形状への柔軟な変形性に共に優れる塗布ローラーとする観点から、コイルバネ２３の外径Ｄ２は、塗布ローラー２の外周部直径Ｄ１の、好ましくは１５％以上であり、より好ましくは４０％以上であり、また、好ましくは９０％以下であり、より好ましくは６０％以下であり、また、好ましくは１５〜９０％であり、より好ましくは４０〜６０％である。
【００２３】
支持部３及び端部形成部材２４の形成材料は、特に制限されず、それぞれ、プラスチック、金属、セラミック、ガラス、木材等から形成することができる。
【００２４】
以上、本発明をその好ましい実施形態に基づき説明したが、本発明は上述した実施形態に制限されず適宜変更可能である。
例えば、支持部３は、板状の把持部に代えて棒状の把持部を有するものでも良く、また、指先で摘んで持つのに適した形状及びサイズの把持部に代えて、手で握って持つのに適した形状及びサイズの把持部を有するものでも良い。
【符号の説明】
【００２５】
１  化粧料塗布具
２  塗布ローラー
２１  外周部
２１ａ  円筒状部材
２２  芯部
２３  コイルバネ
２４  ローラー端部形成部材
２４ａ  大径部
２４ｂ  小径部
２４ｃ  挿入部
３  支持部
３１  把持部
３２  支持アーム
３３  軸受
【図１】
2015012934.tif 000003
【図２】
2015012934.tif 000004
【図３】
2015012934.tif 000005